(57)【要約】【課題】  高価な装置を使用する必要がなく、また除去した塵埃を周囲に拡散することなく、ＡＴＭの清掃を能率的に行うことができる簡易なエア注入枠付ゴミ浮遊拡散防止袋を提供すること。【解決手段】  ＡＴＭのような被清掃装置２のユニットのゴミが噴出される側にユニットを覆うように差込んで装着可能な空気注入口１４を備えた長方形のエア注入枠１１とエア注入枠１１に取付けられ、ゴミ４を一時的に収容する袋本体部１２とエア注入枠１１の反対側に設けられ、吸引ホースを装着可能なゴミ取出口１３とから成ることを特徴とする。【選択図】        図１
2006021122.tif 000002
【特許請求の範囲】
【請求項１】
ＡＴＭのような被清掃装置のユニットのゴミが噴出される側にユニットに覆うように差込んで装着可能な空気注入口を備えた長方形のエア注入枠とエア注入枠に固着され、ゴミを一時的に収容する袋本体部とエア注入枠の反対側に設けられ、吸引ホースを装着可能なゴミ取出口とから成ることを特徴とするエア注入枠付ゴミ浮遊拡散防止袋。
【請求項２】
エア注入枠は、天板部と左右の側壁部と左右の足部と左右の足部の後部を橋絡する橋絡部とから成ることを特徴とする請求項１に記載のエア注入枠付ゴミ浮遊拡散防止袋。
【請求項３】
天板部は左右の側壁部と左右の足部より長めに前方に張出し、先端に庇が形成されていることを特徴とする請求項１又は請求項２に記載のエア注入枠付ゴミ浮遊拡散防止袋。
【請求項４】
エア注入枠はポリエチレン製であり、袋本体部はナイロン又はポリエチレン製であり、ゴミ取出口と空気注入口はＡＢＳ（塩ビ）製であることを特徴とする請求項１乃至３のいずれか１項に記載のエア注入枠付ゴミ浮遊拡散防止袋。
【発明の詳細な説明】
【技術分野】
【０００１】
本発明は、金融機関に設置された現金自動取扱機（以下、ＡＴＭと云う。）のユニットの内部に発生するほこり、紙粉等のゴミを清掃する際に使用されるエア注入枠付ゴミ浮遊拡散防止袋に関する。
【背景技術】
【０００２】
銀行、郵便局、証券会社等の金融機関に設置されているＡＴＭは、紙幣処理装置、硬貨処理装置、カード処理装置、通帳処理装置等により構成されており、紙幣は装置内をローラやベルト等により高速で搬送され、その間に紙幣の検出、確認等が行われるが、そのために多数のセンサが装備されており、その多くは光学的センサが使用されている。
このように紙幣が高速で搬送処理されるために、搬送中にほこり以外にも紙幣から出る紙粉（以下、これらを塵埃又はゴミと云う。）が発生するが、この塵埃が光学的センサに付着すると、センサ機能を劣化させる。
またこのような塵埃が装置内の電子機器の半導体基板等に付着すると、絶縁不良等の不具合の原因ともなる。
そこで塵埃によるセンサ機能の劣化、半導体基板等の絶縁不良等を防ぐために、定期的に又は必要に応じて、保守員によりＡＴＭ内の清掃を行っている。
【０００３】
このような清掃を行う場合、従来対象部分に空気を噴射して塵埃を吹き飛ばしていたが、これでは吹き飛ばされた塵埃が、他の部分に付着したり、周囲に飛散して周囲環境を悪くしていた。
そこでこれを防ぐために、空気を吸引して負圧を発生する吸引装置と空気を加圧して空気ジェットを噴射する噴射装置と、これらに対してそれぞれホースを介して連結される吸引・噴射ヘッドとを備え、清掃に際して、吸引・噴射ヘッドに対して負圧が常時供給され、空気ジェットの噴射は任意なタイミングで行うようにした清掃装置が提案されている（特許文献１参照）。
【０００４】
【特許文献１】特開２０００−４２５０４号公報（図１）
【発明の開示】
【発明が解決しようとする課題】
【０００５】
しかしながら上記の清掃装置の場合、清掃する範囲が狭く、吸引・噴射ヘッドの大きさに対応するようなセンサ個々に付着した塵埃を清掃除去するのには効果的であるが、ＡＴＭには多数のセンサが装備されていて、これらの全体を清掃するには能率的ではない。また清掃装置としてはそれぞれが単独で操作される吸引装置と噴射装置を備えたものである必要があり、高価である。
【０００６】
本発明はこのような点に鑑み、高価な装置を使用する必要がなく、また除去した塵埃を周囲に拡散することなく、ＡＴＭの清掃を能率的に行うことができる簡易な装置（エア注入枠付ゴミ浮遊拡散防止袋）を提供することを目的とする。
【課題を解決するための手段】
【０００７】
上記の目的を達成するために、本発明のエア注入枠付ゴミ浮遊拡散防止袋１は、ＡＴＭのような被清掃装置２のユニットのゴミが噴出される側にユニットを覆うように差込んで装着可能な空気注入口１４を備えた長方形のエア注入枠１１とエア注入枠１１に取付けられ、ゴミ４を一時的に収容する袋本体部１２とエア注入枠１１の反対側に設けられ、吸引ホースを装着可能なゴミ取出口１３とから成ることを特徴とする。
【０００８】
上記のおいて、エア注入枠１１は、天板部１１１と左右の側壁部１１３，１１４と左右の足部１１５，１１６と左右の足部１１５，１１６の後部を橋絡する橋絡部１１７とから成ることを特徴とする。
【０００９】
上記のおいて、天板部１１１は先端に庇１１２を備えることを特徴とする。
【００１０】
また上記において、エア注入枠１１ポリエチレン製であり、袋本体部１２はナイロン又はポリエチレン製であり、ゴミ取出口１３はＡＢＳ（塩ビ）製であることを特徴とする。
【発明の効果】
【００１１】
本発明によれば、高価な装置を使用する必要がなく、また除去した塵埃を周囲に拡散することなく、ＡＴＭの清掃を能率的に行うことができるＡＴＭ清掃用エア注入枠付ゴミ浮遊拡散防止袋を提供することができる。
【発明を実施するための最良の形態】
【００１２】
本発明を実施するための最良の形態を実施例に基づき図面を参照して説明する。
【実施例１】
【００１３】
図１は、本発明の実施例１に係わるエア注入枠付ゴミ浮遊拡散防止袋の使用例を一部側断面図で示す概念図、図２はエア注入枠の斜視図である。
図１において、１は本発明のエア注入枠付ゴミ浮遊拡散防止袋であり、ＡＴＭのような被清掃装置２のユニットのゴミ４が噴出される側からユニットを覆うように差込んで装着可能な空気注入口１４を備えた長方形のエア注入枠１１と、エア注入枠１１に取付けられ、ゴミ４を一時的に収容する袋本体部１２と、エア注入枠１１の反対側に設けられ、吸引ホース３４を装着可能なＡＢＳ（塩ビ）製のゴミ取出口１３とから成り、エア注入枠１１はポリエチレン製であり、空気ポンプにより空気が吹き込まれることにより膨らんで自立するので、この状態でＡＴＭのような被清掃装置２のユニットのゴミ４が噴出される側からユニットを覆うように差込めば装着できる。エア注入枠１は空気を排出すれば収縮する。袋本体部１２はナイロン又はポリエチレン製である。
なお図１においてエア注入枠１１は図２のＸ−Ｘ線の側断面図で示してある。
なおユニットにエア注入枠１１を差込んで装着した状態での、ユニットとエア注入枠１１との間隔は適宜に設定される。
【００１４】
エア注入枠１１は図２に示されるように、長方形であり、天板部１１１と左右の側壁部１１３，１１４と左右の足部１１５，１１６と左右の足部１１５，１１６の後部を橋絡する橋絡部１１７とから成り、各足部と橋絡部とによりと前方部から中央部に亘り欠けた形状を形成することにより、空気を注入して膨らませた状態のエア注入枠１１をＡＴＭ２の後方から覆うように装着する場合に、ＡＴＭ２の車輪を避けて容易に装着できることになる。
【００１５】
２はＡＴＭのような被清掃装置で、清掃時にはＡＴＭ２の前面と後面の扉が外された状態で、上記のようにユニットのゴミ４が噴出される側にエア注入枠付ゴミ浮遊拡散防止袋１のエア注入枠１１がユニットを覆うように差込まれて装着される。
なおエア注入枠１１の天板部１１１は前方を側壁部１１３，１１４、足部１１５，１１６よりやや長めにし、先端に庇１１２を形成するのがよい。
３は真空掃除機で、空気噴出口と吸引口３１を備えたものであればよく、例えば家庭用電気掃除機を改良して吸引口３１を設けたものでもよい。
そして空気噴出口に先端に空気噴出ノズル３３を有する噴出ホース３２が連結され、吸引口３１に吸引ホース３４の一端が、またその他端がエア注入枠付ゴミ浮遊拡散防止袋１のゴミ取出口１３に連結される。
【００１６】
清掃時には図１のように装着・連結した状態で、真空掃除機３を動作させ、噴出ホース３２の先端の空気噴出ノズル３３からの噴出空気を、センサのような清掃対象に向けて吹きつけると、センサに付着しているゴミ４は吹き飛ばされて袋本体部１２内に噴出し、これを膨らませてそこに溜まるが、袋本体部１２の奥に設けられているゴミ取出口１３に吸引ホース３４が連結されていることにより、袋本体部１２内に噴出したゴミ４は長く留まることなくゴミ取出口１３を通して、真空掃除機３に吸引されてその集塵袋に集められることになる。
【００１７】
このように、エア注入枠ゴミ浮遊拡散防止袋１を用いることにより、ＡＴＭ２から吹き飛ばされたゴミ４が周囲に拡散して周囲環境を悪くすることがない。
また噴出ホース３２の先端の空気噴出ノズル３３を手早くＡＴＭ２の各部分に順に向けて空気を吹きつけることにより、全体の清掃を能率的に行うことができる。
清掃を終えるに当たっては、ＡＴＭ２よりエア注入枠１１を外し、ＡＴＭの前面と後面に扉を取付けることにより、清掃を終了する。
このエア注入枠付ゴミ浮遊拡散防止袋１は１回毎には廃棄せずに、使用に耐える限り何回でも使用することができる。
【００１８】
以上のように、本発明のエア注入枠付ゴミ浮遊拡散防止袋を空気噴出口と吸引口を備えた真空掃除機とともに用いることにより、除去したゴミを周囲に拡散させることなく、能率的にＡＴＭの内部を清掃することができる。
【図面の簡単な説明】
【００１９】
【図１】実施例１に係るエア注入枠付ゴミ浮遊拡散防止袋の使用例を一部側断面図で示す概念図。
【図２】エア注入枠の斜視図。
【符号の説明】
【００２０】
１：エア注入枠ゴミ浮遊拡散防止袋
１１：エア注入枠
１１１：天板部
１１２：庇
１１３：左側壁部
１１４：右側壁部
１１５：左足部
１１６：右足部
１１７：橋絡部
１２：袋本体部
１３：ゴミ取出口
１４：空気注入口
２：ＡＴＭ
３：真空掃除機
３１：吸引口
３２：噴出ホース
３３：空気噴出ノズル
３４：吸引ホース
４：ゴミ
【図１】
2006021122.tif 000003
【図２】
2006021122.tif 000004